(57)【要約】      （修正有）【課題】ラベルの保護を図るとともに、他の情報を貼付する場合であっても、図書への貼付作業の効率化を図ることができる管理用シールを提供する。【解決手段】管理用シール１は、閲覧物に付けるラベルを覆う透明なラベル被覆部３と、閲覧人に情報を表示する情報表示部２とを備え、ラベル被覆部３と情報表示部２を一体に形成する。【選択図】図１
0003211251.tif 000002
【実用新案登録請求の範囲】
【請求項１】
閲覧物に付けるラベルを覆う透明なラベル被覆部と、
閲覧人に情報を表示する情報表示部とを備え、
前記ラベル被覆部と前記情報表示部を一体に形成した管理用シール。
【請求項２】
前記情報表示部は、前記閲覧人に広告を表示する広告表示部からなることを特徴とする請求項１に記載の管理用シール。
【請求項３】
前記情報表示部は、前記閲覧物を管理する管理人の管理情報を表示する管理情報表示部からなることを特徴とする請求項１に記載の管理用シール。
【請求項４】
前記情報表示部は、前記閲覧人に広告を表示する広告表示部と、前記閲覧物を管理する管理人の管理情報を表示する管理情報表示部とを有することを特徴とする請求項１に記載の管理用シール。
【請求項５】
広告が記載された広告表示媒体を貼り付けるための貼付領域を有し、
前記貼付領域に前記広告表示媒体を貼り付けたことを特徴とする請求項３に記載の管理用シール。
【請求項６】
広告が記載された広告表示媒体を収納可能な収納部と、
前記収納部に収納される前記広告表示媒体を取り出し可能な取出口と、を有し、
前記収納部に前記広告表示媒体を収納したことを特徴とする請求項３に記載の管理用シール。
【請求項７】
前記ラベル被覆部の接着面は、前記情報表示部の接着面よりも強い接着力を有することを特徴とする請求項１〜６のいずれかに記載の管理用シール。
【請求項８】
前記ラベル被覆部の接着面は、前記情報表示部の接着面よりも弱い接着力を有することを特徴とする請求項１〜６のいずれかに記載の管理用シール。
【請求項９】
前記情報表示部の接着面は、接着力を有するものの、
前記ラベル被覆部の接着面は、接着力を有さず、前記ラベル被覆部以外の接着面は接着力を有することを特徴とする請求項１〜６のいずれかに記載の管理用シール。
【考案の詳細な説明】
【技術分野】
【０００１】
本考案は、管理用シールに関し、特に、図書等の閲覧物に貼り付ける管理用シールに関する。
【背景技術】
【０００２】
従来、図書館等においては、図書の貸出等の管理を行うために、図書の裏表紙にバーコードが記載されたラベルを貼り、貸出時に読み取り機を用いて貸出を管理することが行われている（例えば、特許文献１を参照）。
【先行技術文献】
【特許文献】
【０００３】
【特許文献１】実開平６−４３６６９号公報
【考案の概要】
【考案が解決しようとする課題】
【０００４】
しかしながら、図書の裏表紙にラベルを貼付したときには、書架から図書を取り出したり、図書を持ち運んだりする際に、ラベルが剥がれたり、傷ついたりすることがあり、読み取り機がラベルのバーコードを読み取れずに、図書の貸出等の管理を行えないことがある。
【０００５】
また、図書に対して、図書の貸出等の管理を行うためのバーコード以外の情報を貼付したい場合には、図書にラベルや保護シールを貼付する作業に加え、新たな情報を印刷や印字したシールを貼付する作業工程が増加することになる。
【０００６】
本考案は、このような課題を解決するためになされたもので、バーコードのラベルの保護を図るとともに、図書の貸出等の管理を行うためのバーコード以外の情報を貼付する場合であっても、図書への貼付作業の効率化を図ることができる管理用シールを提供することである。
【課題を解決するための手段】
【０００７】
この考案に係る管理用シールは、閲覧物に付けるラベルを覆う透明なラベル被覆部と、閲覧人に情報を表示する情報表示部とを備え、ラベル被覆部と情報表示部を一体に形成されたものである。
【０００８】
ここで、情報表示部は、閲覧人に広告を表示する広告表示部から構成することができる。
【０００９】
また、情報表示部は、閲覧物を管理する管理人の管理情報を表示する管理情報表示部から構成することもできる。
また、情報表示部は、閲覧人に広告を表示する広告表示部と、閲覧物を管理する管理人の管理情報を表示する管理情報表示部とを有することもできる。
【００１０】
また、広告が記載された広告表示媒体を貼り付けるための貼付領域を有し、貼付領域に広告表示媒体を貼り付けることができる。
また、広告が記載された広告表示媒体を収納可能な収納部と、収納部に収納される広告表示媒体を取り出し可能な取出口と、を有し、収納部に広告表示媒体を収納することもできる。
【００１１】
また、ラベル被覆部の接着面は、情報表示部の接着面よりも強い接着力を有することができる。
また、ラベル被覆部の接着面は、情報表示部の接着面よりも弱い接着力を有することもできる。
また、情報表示部の接着面は、接着力を有するものの、ラベル被覆部の接着面は、接着力を有さず、ラベル被覆部以外の接着面は接着力を有することもできる。
【考案の効果】
【００１２】
以上のように、本考案による管理用シールによれば、バーコードのラベルの保護を図るとともに、図書の貸出等の管理を行うためのバーコード以外の情報を貼付する場合であっても、図書への貼付作業の効率化を図ることができる。
【図面の簡単な説明】
【００１３】
【図１】本考案の実施の形態１に係る管理用シールの構成を示す図である。
【図２】実施の形態１に係る管理用シールを図書に貼付する様子を示す図である。
【図３】実施の形態２に係る管理用シールの構成を示す図である。
【図４】実施の形態３に係る管理用シールの構成を示す図である。
【図５】実施の形態４に係る管理用シールの構成を示す図である。
【考案を実施するための形態】
【００１４】
本考案の実施の形態を添付図面に基づいて説明する。
＜実施の形態１＞
図１に、本考案の実施の形態１に係る管理用シール１の構成を示す。
管理用シール１は、図書館の閲覧用に展示された図書に貼り付けるもので、フィルム状のシールから構成されている。この管理用シール１は、矩形状に形成され、一半部に配置された情報表示部２と、他半部に配置されたラベル被覆部３とを有する。
【００１５】
情報表示部２は、図書を閲覧する閲覧人に対して情報を表示するもので、管理情報表示部４と、広告表示部５とを有する。
【００１６】
管理情報表示部４は、フィルム状のシールの表面に図書を管理する管理人の管理情報を印刷により表示したものである。ここで、管理情報とは、広告表示部５に表示された広告が管理人によって認証されていることを示す情報であり、例えば、図書を管理している市町村の名称などの情報を表示することができる。
【００１７】
広告表示部５は、フィルム状のシールの表面に閲覧人に提供する広告を印刷により表示したものである。広告としては、例えば、企業の名称および商品の説明などが挙げられる。
【００１８】
ラベル被覆部３は、図書に付けられるラベルを保護するもので、ラベルを覆うような大きさに形成されたフィルム状のシールから構成されている。また、ラベル被覆部３は、ラベルを読み取り可能に透明に形成されている。ラベルとしては、例えば、図書の管理情報を暗号化したバーコードラベルなどが挙げられる。
【００１９】
ここで、情報表示部２とラベル被覆部３は、一体に接続するように形成されている。また、情報表示部２とラベル被覆部３は、図書に貼り付けるための接着面を裏面側に有する。
【００２０】
次に、管理用シール１を図書に貼り付ける方法について説明する。
まず、図１に示すように、情報表示部２とラベル被覆部３が一体に形成された管理用シール１が用意される。続いて、図２（ａ）に示すように、図書７の裏表紙にバーコードラベル６を貼付し、その上側から管理用シール１を図書７に貼り付ける。
【００２１】
このとき、図２（ｂ）に示すように、管理用シール１は、ラベル被覆部３でバーコードラベル６を完全に覆うように貼り付けられる。これにより、バーコードラベル６の損傷および水分の透過による劣化を確実に抑制することができる。また、ラベル被覆部３は、透明に形成されているため、ラベル被覆部３の上から読み取り機でバーコードラベル６の情報を確実に読み取ることができる。
【００２２】
このようにして、バーコードラベル６を管理用シール１で図書７に貼り付けることで、図２（ｃ）に示すように、バーコードラベル６に隣接して情報表示部２が表示される。
ここで、情報表示部２には、広告表示部５が形成されており、図書７を閲覧した閲覧人に広告を提供することができる。このとき、広告表示部５は、図書７の内容に応じた広告を表示することが好ましい。例えば、花に関する図書７の場合には、広告表示部５に花を販売する会社の広告を表示することができる。これにより、図書７を閲覧した閲覧人が花を購入したくなったときには、広告表示部５に表示された花を販売する会社にアクセスして、所望の花を容易に購入することができる。
【００２３】
また、情報表示部２には、管理情報表示部４が形成されており、広告表示部５に表示された広告の管理人を閲覧人が認識することができ、広告に対する信頼性を向上して閲覧人の不安を抑制することができる。
【００２４】
このようにして、バーコードラベル６と情報表示部２が図書７の裏表紙に貼り付けられる。このとき、ラベル被覆部３と情報表示部２が別々のシールで形成されている場合には、ラベル被覆部３と情報表示部２を図書７に２回に分けて貼り付けることになる。本考案においては、ラベル被覆部３と情報表示部２が一体に形成されているため、ラベル被覆部３の貼り付けと情報表示部２の貼り付けを一度に行うことができ、図書７への貼り付け作業を効率化することができる。
【００２５】
本実施の形態によれば、ラベル被覆部３と情報表示部２を一体に形成するため、バーコードラベル６と広告の図書７への貼り付け作業を効率化することができる。
【００２６】
＜実施の形態２＞
実施の形態１では、情報表示部２は、フィルム状のシールからなる貼付部の表面に広告を表示する広告表示媒体を印刷により一体に形成したが、閲覧人に情報を表示することができればよく、これらを別々に形成することもできる。
実施の形態２では、広告表示媒体と貼付部を別々に形成している一例を説明する。
【００２７】
図３に、本考案の実施の形態２に係る管理用シール１の構成を示す。
実施の形態２では、広告表示部５１は、広告表示媒体５２と、貼付部５３とを有する。
【００２８】
広告表示媒体５２は、フィルム状のシールの表面に閲覧人に提供する広告を印刷により表示したものである。
【００２９】
貼付部５３は、フィルム状のシールからなり、広告表示媒体５２を貼付する貼付領域Ｒを有する。
【００３０】
貼付する順番は、図３（ａ）に示すように、図書７にバーコードラベル６を貼付し、その上側から管理用シール１を貼付し、さらに、その上側から広告表示媒体５２を貼付部５３の貼付領域Ｒに貼り付ける。
【００３１】
このとき、図３（ｂ）に示すように、管理用シール１は、実施の形態１と同様な外観となっており、バーコードラベル６と広告表示部５１を図書７に貼り付ける作業を効率化することができる。
【００３２】
ここで、実施の形態１の構成では、広告表示部５を交換する場合には、管理用シール１そのものを剥がさなければならない。このとき、管理用シール１を剥がすと、下層のバーコードラベル６および図書７の表面を一緒に剥がしてしまうおそれがある。
そこで、広告表示媒体５２を貼付部５３から分離する形態にすることで、広告表示媒体５２を交換したい場合には広告表示媒体５２のみを貼付部５３から剥がすことができる。このとき、下層のバーコードラベル６および図書７を一緒に剥がすことはない。そして、図３（ｃ）に示すように、新しい広告表示媒体５４を貼付部５３に貼付することで、広告表示媒体５２を新しい広告表示媒体５４に容易に交換することができる。このようなことは、例えば、広告の掲載期間終了後に、新しいバージョン（Ｖｅｒ）の広告にするとき、掲載企業自体を変更するとき、広告表示媒体５２のみが破損したときなどにおいて有効である。
【００３３】
本実施の形態によれば、貼付部５３と広告表示媒体５２を別々に形成するため、広告表示媒体５２の交換作業を容易に実行することができる。
【００３４】
＜実施の形態３＞
実施の形態２では、交換可能な広告表示媒体５２を有しており、フィルム状のシールの表面に広告を印刷した広告表示媒体５２を貼付部５３に貼付することで広告を表示していたが、広告を頒布できるように形成することもできる。
実施の形態３では、管理用シール１から広告表示媒体を頒布できるように形成している一例を説明する。
【００３５】
図４に、本考案の実施の形態３に係る管理用シール１の構成を示す。
実施の形態２では、広告表示部５５は、広告媒体９と、収納部８とを有する。
【００３６】
広告媒体９は、フィルム状のカードの表面に閲覧人に提供する広告を印刷により表示したものである。
【００３７】
収納部８は、フィルム状のシールからなる貼付部に広告媒体９より大きなビニール片が装着された構造となっており、その一辺に収納部８に収納された広告媒体９を取り出すことができる取出口１０が形成されている。また、収納部８は複数の広告媒体９で形成されている。
【００３８】
この構成では、図４に示すように、広告媒体９は収納部８に収納されているので、図書を閲覧する閲覧人Ａが、広告媒体９に表示された広告に興味を持った場合に、閲覧人Ａが広告媒体９を図書に貼付された収納部８から自ら取り出し、自分のものにすることができる。これにより、例えば、閲覧人Ａが図書を返却した後でも、閲覧人Ａが所持している広告媒体９を確認することによって、閲覧人Ａの都合がよい時間や必要となったときに広告先の企業にアクセスすることができる。
【００３９】
また、収納部８は複数の広告媒体９を収納することが可能であるので、閲覧人Ｂが、図書に貼付された広告に興味を持った場合に、閲覧人Ｂは図書に貼付された収納部８から複数の広告媒体９を取り出し、自分のものにすることができる。これにより、例えば、閲覧人Ｂが広告媒体９に表示された広告内容を閲覧人Ｂの知人に紹介したい場合に、閲覧人Ｂが所有している複数の広告媒体９の１つを知人に手渡すことができる。
【００４０】
本実施の形態によれば、広告媒体９を収納可能な収納部８を有するため、広告媒体９を手にした利用者の広告利用率を向上させることができる。
【００４１】
なお、実施の形態３における収納部８は複数の広告媒体９を収納可能としたが、１つの広告媒体９のみを収納可能に構成してもよい。
【００４２】
＜実施の形態４＞
実施の形態１〜３では、管理用シール１の接着面の接着力は部分によって差はなく一定の接着力を有していたが、管理用シール１の接着面の接着力を部分によって変更することもできる。
例えば、図５（ａ）に示すように、管理用シール１の接着面Ｓにおいて、ラベル被覆部３の接着面Ｓの接着力を、情報表示部２の接着面Ｓよりも強くすることができる。
【００４３】
そうすることで、ラベル被覆部３の接着面Ｓの接着力が他の部分よりも強くなっているため、ラベル被覆部３で覆われているラベルは他の部分よりも強く接着することになる。このようにすると、管理用シール１を貼付後に、管理用シール１を図書７から剥がすとき、接着力が強いラベル被覆部３の接着面Ｓで覆われていたラベルは管理用シール１と一緒に剥がすことができる。若しくは、ラベルを剥がすことまで至らなかった場合には、ラベルを敢えて傷つけることもできる。そうすることで、例えば、図書を廃棄するときに、管理用シール１を剥がすときに一緒にラベルを剥がしたり、傷つけたりできるので、廃棄後のラベルを用いた図書の悪用を防止することができる。
【００４４】
また、ラベル被覆部３の接着面Ｓの接着力を他の部分よりも強くする他に、図５（ｂ）に示すように、ラベル被覆部３の接着面Ｓが接着力を有していない構成にすることもできる。
【００４５】
そうすることで、ラベル被覆部３の接着面Ｓはラベルと接着することはなく、単純にラベルを覆うだけになるため、図書に貼付した管理用シール１を剥がす場合に、下層のラベルまで一緒に剥がしてしまうことや、ラベルに傷をつけることを抑制することができる。従って、例えば、広告表示部５の広告内容を変更することが頻繁に発生した場合に、管理用シール１の下層のラベルが傷つくことを防ぐことができる。
このことは、既にラベルが傷んでいる場合において特に有効である。
【００４６】
本実施の形態によれば、管理用シール１のラベル被覆部３の接着面Ｓの接着力を強くすることでラベルの悪用を防止することができ、また、ラベル被覆部３の接着面Ｓの接着力をなくすことでラベルを何度張り替えてもラベルに影響を与えず、ラベルの摩耗による劣化を防ぐことができる。
【００４７】
なお、上記の実施の形態１〜４では、管理用シール１の情報表示部２は管理情報表示部４と広告表示部５を離して配置しているが、これに限らず、管理情報表示部４と広告表示部５を同じ領域内に形成してもよい。
【００４８】
さらには、上記の実施の形態１〜４では、情報表示部２は、管理情報表示部４と広告表示部５とを有するように構成しているが、情報表示部２は、管理情報表示部４のみであってもよいし、広告表示部５のみであってもよい。
【００４９】
また、上記の実施の形態１〜４では、図書７の裏表紙のラベル上から管理用シール１を貼付しているが、これに限らず、図書７の表紙や背表紙や内部にラベルの上から管理用シール１を貼付してもよい。
【００５０】
また、上記の実施の形態１〜４では、管理用シールは図書に貼付されている構成としたが、閲覧人に閲覧される閲覧物であればよく、図書に限られるものではない。例えば、ＤＶＤ等の閲覧物に管理用シールを貼付することもできる。
【００５１】
また、上記の実施の形態３では、収納部８はビニール片から構成されたが、これに限らず、ビニール以外の素材でもよい。
【００５２】
また、上記の実施の形態４では、管理用シール１のラベル被覆部３の接着面Ｓのみに接着力がないことを示したが、これに限らず、管理用シール１のラベル被覆部３の接着面Ｓの接着力が、管理情報表示部４の接着面Ｓより弱くてもよい。
また、情報表示部２の接着面Ｓの接着力は、管理情報表示部４の接着面Ｓと広告表示部５の接着面Ｓとで異なる接着力としてもよい。
【符号の説明】
【００５３】
１    管理用シール
２    情報表示部
３    ラベル被覆部
４    管理情報表示部
５,５１,５５  広告表示部
６    バーコードラベル
７    図書
８    収納部
９    広告媒体
１０  取出口
５２,５４  広告表示媒体
５３  貼付部
Ａ,Ｂ 閲覧人
【図１】
0003211251.tif 000003
【図２】
0003211251.tif 000004
【図３】
0003211251.tif 000005
【図４】
0003211251.tif 000006
【図５】
0003211251.tif 000007